(57)【要約】      （修正有）【課題】物品からの取り外しが容易な物品取付具を提供するものである。【解決手段】物品取付具１は、外周に溝部ａを備えた取付基部１０と、この取付基部１０から互いに離間して対向すると共に、前方に延びる第１の辺部１１及び第２の辺部１２と、第１の辺部１１の先端に設けられ、物品２に係止するフック部１３と、取付基部１０は、接続部１４を介して２つの半割り取付基部で構成され、前記２つの半割り取付基部の一方は、第１の半割り取付基部１０ａであり、前記２つの半割り取付基部の他方は、第２の半割り取付基部１０ｂであり、第１の半割り取付基部１０ａに第１の辺部１１が接続され、第２の半割り取付基部１０ｂに第２の辺部１２が接続されているものである。【選択図】図１
2008080836.tif 000002
【特許請求の範囲】
【請求項１】
外周に溝部を備えた取付基部と、
この取付基部から互いに離間して対向すると共に、前方に延びる第１の辺部及び第２の辺部と、
前記第１の辺部の先端に設けられ、物品に係止するフック部と、
前記取付基部は、接続部を介して一体に形成された２つの半割り取付基部で構成され  、前記２つの半割り取付基部の一方は、第１の半割り取付基部であり、前記２つの半割り取付基部の他方は、第２の半割り取付基部であり、
前記第１の半割り取付基部に前記第１の辺部が接続され、
前記第２の半割り取付基部に前記第２の辺部が接続されている
ことを特徴とする物品取付具。
【請求項２】
第１の半割り取付基部は、側方に張り出す第１の側方張出部材、第２の側方張出部材を有し、
第２の半割り取付基部は、側方に張り出す第３の側方張出部材、第４の側方張出部材を有し、
接続部を介して折り曲げて前記第１の半割り取付基部と前記第２の半割り取付基部を合わせた状態において、前記第１の半割り取付基部と前記第２の半割り取付基部は、背中合わせになって取付基部を構成すると共に、背中合わせになって前記第１の側方張出部材と前記第４の側方張出部材で構成される部位は、一方の張出部であり、背中合わせになって前記第２の側方張出部材と前記第３の側方張出部材で構成される部位は、他方の張出部であり、
この他方の張出部と前記一方の張出部の間に前記取付基部の溝部が形成されることを特徴とする請求項１記載の物品取付具。
【請求項３】
物品は、エアコン吹き出しのルーバーであり、
取付基部の溝部に係止する係止部は、ボトル、灰皿、携帯電話、小物等を載置するホルダー本体に設けられた開口縁部であり、
該開口縁部は、前記溝部に係止する開口幅Xである第１の開口縁部と、この第１の開口縁部に連通し、前記開口幅Xより大きく、且つ、前記取付基部の挿脱を許容できる開口幅Yを有する第２の開口縁部を有していることを特徴とする請求項１又は２記載の物品取付具。
【請求項４】
外周に溝部を備えた取付基部と、
この取付基部から互いに離間して対向すると共に、前方に延びる第１の辺部及び第２の辺部と、
前記第１の辺部の先端に設けられ、物品に係止するフック部と、
前記取付基部は、接続部を介して一体に形成された２つの半割り取付基部で構成され、前記２つの半割り取付基部の一方は、第１の半割り取付基部であり、前記２つの半割り取付基部の他方は、第２の半割り取付基部であり、
前記第１の半割り取付基部に前記第１の辺部が接続され、
前記第２の半割り取付基部に前記第２の辺部が接続されている物品取付具であって、    前記第１の半割り取付基部と前記第２の半割り取付基部を合わせた前記取付基部を拘束した状態で、前記フック部を前記物品に係止させて、前記物品取付具を前記物品に取り付け、
前記物品取付具を前記物品から取り外すときには、前記フック部と前記物品との係止状態を解除すると共に、前記拘束した状態を解除した後、前記ヒンジを介して前記第１の辺部の先端と前記第２の辺部の先端を離間させて、前記物品取付具を前記物品から取り外すことを特徴とする物品取付具の取り外し方法。
【請求項５】
物品は、エアコン吹き出しのルーバーであり、
取付基部の溝部に係止する係止部は、ボトル、灰皿、携帯電話、小物等を載置するホルダー本体に設けられた開口縁部であり、
該開口縁部は、前記溝部に係止する開口幅Xである第１の開口縁部と、この第１の開口縁部に連通し、前記開口幅Xより大きく、且つ、前記取付基部の挿脱を許容できる開口幅Yを有する第２の開口縁部を有し、
取付基部の拘束とは、前記第１の開口縁部に前記溝部を係止するものであり、
拘束した状態を解除したとは、前記第２の開口縁部に前記溝部を位置させる
ことを特徴とする請求項４記載の物品取付具の取り外し方法。
【請求項６】
外周に溝部を備えた取付基部と、
この取付基部から互いに離間して対向すると共に、前方に延びる第１の辺部及び第２の辺部と、
前記第１の辺部の先端に設けられ、物品に係止するフック部と、
前記取付基部は、接続部を介して２つの半割り取付基部に分割される構成で、前記２つの半割り取付基部の一方は、第１の半割り取付基部であり、前記２つの半割り取付基部の他方は、第２の半割り取付基部であり、
前記第１の半割り取付基部に前記第１の辺部が接続され、
前記第２の半割り取付基部に前記第２の辺部が接続され、
前記接続部は、前記第１の半割り取付基部に設けられた孔に、前記第２の半割り取付基部に設けられた突起を遊嵌するように構成されている
ことを特徴とする物品取付具。
【請求項７】
外周に溝部を備えた取付基部と、
この取付基部から互いに離間して対向すると共に、前方に延びる第１の辺部及び第２の辺部と、
前記第１の辺部の先端に設けられ、物品に係止するフック部と、
前記取付基部は、接続部を介して２つの半割り取付基部に分割される構成で、前記２つの半割り取付基部の一方は、第１の半割り取付基部であり、前記２つの半割り取付基部の他方は、第２の半割り取付基部であり、
前記第１の半割り取付基部に前記第１の辺部が接続され、
前記第２の半割り取付基部に前記第２の辺部が接続され、
前記接続部は、前記第２の半割り取付基部に設けられた孔に、前記第１の半割り取付基部に設けられた突起を遊嵌するように構成されている
ことを特徴とする物品取付具。
【発明の詳細な説明】
【技術分野】
【０００１】
本発明は、物品取付具及び物品取付具の取り外し方法に係り、特に、物品からの取り外しが容易な物品取付具及び物品取付具の取り外し方法に関する。
【背景技術】
【０００２】
従来、外周に溝部を備えた取付基部と、この取付基部から互いに離間して対向すると共に、前方に延びる第１の辺及び第２の辺と、前記第１の辺の先端に設けられ、物品に係止するフック部とを備えた物品取付具がある（例えば、特許文献１参照）。
この物品取付具にあっては、エアコン吹き出しのルーバーに上述したフック部を係止させてルーバーに物品取付具を取り付けていた。
【特許文献１】特許第３３７１３４５号公報
【発明の開示】
【発明が解決しようとする課題】
【０００３】
しかしながら、上述した物品取付具にあっては、ルーバーから物品取付具を取り外す時には、フック部との係止状態を解除した後、第１の辺と第２の辺との間を広げねばならず、取り外し作業が困難であるという問題点が生じた。
この問題点を解決するために、第１の辺と第２の辺の素材の曲げ剛性を弱くすれば良いが、素材自体の曲げ剛性を弱くすると、フック部とルーバーとの係止状態が弱くなるという新たな問題点が生じる。
【０００４】
本発明は、上記の問題点を除去するようにした物品取付具及び物品取付具の取り外し方法を提供することを目的とする。
【課題を解決するための手段】
【０００５】
本発明の物品取付具は、外周に溝部を備えた取付基部と、この取付基部から互いに離間して対向すると共に、前方に延びる第１の辺部及び第２の辺部と、前記第１の辺部の先端に設けられ、物品に係止するフック部と、前記取付基部は、接続部を介して一体に形成された２つの半割り取付基部で構成され、前記２つの半割り取付基部の一方は、第１の半割り取付基部であり、前記２つの半割り取付基部の他方は、第２の半割り取付基部であり  、前記第１の半割り取付基部に前記第１の辺部が接続され、前記第２の半割り取付基部に前記第２の辺部が接続されているものである。
【０００６】
また、請求項２記載の物品取付具は、請求項１記載の物品取付具において、第１の半割り取付基部は、側方に張り出す第１の側方張出部材、第２の側方張出部材を有し、第２の半割り取付基部は、側方に張り出す第３の側方張出部材、第４の側方張出部材を有し、    接続部を介して折り曲げて前記第１の半割り取付基部と前記第２の半割り取付基部を合わせた状態において、前記第１の半割り取付基部と前記第２の半割り取付基部は、背中合わせになって取付基部を構成すると共に、背中合わせになって前記第１の側方張出部材と前記第４の側方張出部材で構成される部位は、一方の張出部であり、背中合わせになって前記第２の側方張出部材と前記第３の側方張出部材で構成される部位は、他方の張出部であり、この他方の張出部と前記一方の張出部の間に前記取付基部の溝部が形成されるものである。
【０００７】
また、請求項３記載の物品取付具は、請求項１又は２記載の物品取付具において、物品は、エアコン吹き出しのルーバーであり、取付基部の溝部に係止する係止部は、ボトル  、灰皿、携帯電話、小物等を載置するホルダー本体に設けられた開口縁部であり、該開口縁部は、前記溝部に係止する開口幅Xである第１の開口縁部と、この第１の開口縁部に連通し、前記開口幅Xより大きく、且つ、前記取付基部の挿脱を許容できる開口幅Yを有する第２の開口縁部を有しているものである。
【０００８】
また、請求項４記載の物品取付具の取り外し方法は、外周に溝部を備えた取付基部と  、この取付基部から互いに離間して対向すると共に、前方に延びる第１の辺部及び第２の辺部と、前記第１の辺部の先端に設けられ、物品に係止するフック部と、前記取付基部は、接続部を介して一体に形成された２つの半割り取付基部で構成され、前記２つの半割り取付基部の一方は、第１の半割り取付基部であり、前記２つの半割り取付基部の他方は  、第２の半割り取付基部であり、前記第１の半割り取付基部に前記第１の辺部が接続され、前記第２の半割り取付基部に前記第２の辺部が接続されている物品取付具であって、前記第１の半割り取付基部と前記第２の半割り取付基部を合わせた前記取付基部を拘束した状態で、前記フック部を前記物品に係止させて、前記物品取付具を前記物品に取り付け  、前記物品取付具を前記物品から取り外すときには、前記フック部と前記物品との係止状態を解除すると共に、前記拘束した状態を解除した後、前記ヒンジを介して前記第１の辺部の先端と前記第２の辺部の先端を離間させて、前記物品取付具を前記物品から取り外すものである。
【０００９】
また、請求項５記載の物品取付具の取り外し方法は、請求項４記載の物品取付具の取り外し方法において、物品は、エアコン吹き出しのルーバーであり、取付基部の溝部に係止する係止部は、ボトル、灰皿、携帯電話、小物等を載置するホルダー本体に設けられた開口縁部であり、該開口縁部は、前記溝部に係止する開口幅Xである第１の開口縁部と、この第１の開口縁部に連通し、前記開口幅Xより大きく、且つ、前記取付基部の挿脱を許容できる開口幅Yを有する第２の開口縁部を有し、取付基部の拘束とは、前記第１の開口縁部に前記溝部を係止するものであり、拘束した状態を解除したとは、前記第２の開口縁部に前記溝部を位置させるものである。
【００１０】
また、請求項６記載の物品取付具は、外周に溝部を備えた取付基部と、この取付基部から互いに離間して対向すると共に、前方に延びる第１の辺部及び第２の辺部と、前記第１の辺部の先端に設けられ、物品に係止するフック部と、前記取付基部は、接続部を介して２つの半割り取付基部に分割される構成で、前記２つの半割り取付基部の一方は、第１の半割り取付基部であり、前記２つの半割り取付基部の他方は、第２の半割り取付基部であり、前記第１の半割り取付基部に前記第１の辺部が接続され、前記第２の半割り取付基部に前記第２の辺部が接続され、前記接続部は、前記第１の半割り取付基部に設けられた孔に、前記第２の半割り取付基部に設けられた突起を遊嵌するように構成されているものである。
【００１１】
また、請求項７記載の物品取付具は、外周に溝部を備えた取付基部と、この取付基部から互いに離間して対向すると共に、前方に延びる第１の辺部及び第２の辺部と、前記第１の辺部の先端に設けられ、物品に係止するフック部と、前記取付基部は、接続部を介して２つの半割り取付基部に分割される構成で、前記２つの半割り取付基部の一方は、第１の半割り取付基部であり、前記２つの半割り取付基部の他方は、第２の半割り取付基部であり、前記第１の半割り取付基部に前記第１の辺部が接続され、前記第２の半割り取付基部に前記第２の辺部が接続され、前記接続部は、前記第２の半割り取付基部に設けられた孔に、前記第１の半割り取付基部に設けられた突起を遊嵌するように構成されているものである。
【発明の効果】
【００１２】
請求項１記載の物品取付具によれば、取付基部は、接続部を介して一体に形成された２つの半割り取付基部で構成され、前記２つの半割り取付基部の一方は、第１の半割り取付基部であり、前記２つの半割り取付基部の他方は、第２の半割り取付基部であり、前記第１の半割り取付基部に前記第１の辺部が接続され、前記第２の半割り取付基部に前記第２の辺部が接続され、前記第１の辺部の先端に物品に係止するフック部が設けられているため、取付基部を拘束することにより、従来と同様の第１の辺部及び第２の辺部を得られ  、取付基部を非拘束することにより、接続部を介して前記第１の辺部の先端と前記第２の辺部の先端を離間させることができるため、物品取付具を物品から容易に取り外すことができる。
【００１３】
また、請求項４記載の物品取付具の取り外し方法によれば、取付基部は、接続部を介して一体に形成された２つの半割り取付基部で構成され、前記２つの半割り取付基部の一方は、第１の半割り取付基部であり、前記２つの半割り取付基部の他方は、第２の半割り取付基部であり、前記第１の半割り取付基部に前記第１の辺部が接続され、前記第２の半割り取付基部に前記第２の辺部が接続され、前記第１の辺部の先端に物品に係止するフック部が設けられ、前記第１の半割り取付基部と前記第２の半割り取付基部を合わせた前記取付基部を拘束した状態で、前記フック部を前記物品に係止させて、前記物品取付具を前記物品に取り付け、前記物品取付具を前記物品から取り外すときには、前記フック部と前記物品との係止状態を解除すると共に、前記拘束した状態を解除した後、前記ヒンジを介して前記第１の辺部の先端と前記第２の辺部の先端を離間させることができるため、物品取付具を物品から容易に取り外すことができる。
【００１４】
また、請求項６記載の物品取付具によれば、取付基部は、接続部を介して２つの半割り取付基部に分割される構成で、前記２つの半割り取付基部の一方は、第１の半割り取付基部であり、前記２つの半割り取付基部の他方は、第２の半割り取付基部であり、前記第１の半割り取付基部に前記第１の辺部が接続され、前記第２の半割り取付基部に前記第２の辺部が接続され、前記第１の辺部の先端に物品に係止するフック部が設けられているため、第１の半割り取付基部に設けられた孔に、第２の半割り取付基部に設けられた突起を遊嵌するように構成されている接続部を有する取付基部を拘束することにより、従来と同様の第１の辺部及び第２の辺部を得られ、取付基部を非拘束することにより、接続部を介して前記第１の辺部の先端と前記第２の辺部の先端を離間させることができるため、物品取付具を物品から容易に取り外すことができる。
【００１５】
また、請求項７記載の物品取付具によれば、取付基部は、接続部を介して２つの半割り取付基部に分割される構成で、前記２つの半割り取付基部の一方は、第１の半割り取付基部であり、前記２つの半割り取付基部の他方は、第２の半割り取付基部であり、前記第１の半割り取付基部に前記第１の辺部が接続され、前記第２の半割り取付基部に前記第２の辺部が接続され、前記第１の辺部の先端に物品に係止するフック部が設けられているため、第２の半割り取付基部に設けられた孔に、第１の半割り取付基部に設けられた突起を遊嵌するように構成されている接続部を有する取付基部を拘束することにより、従来と同様の第１の辺部及び第２の辺部を得られ、取付基部を非拘束することにより、接続部を介して前記第１の辺部の先端と前記第２の辺部の先端を離間させることができるため、物品取付具を物品から容易に取り外すことができる。
【発明を実施するための最良の形態】
【００１６】
本発明の物品取付具及び物品取付具の取り外し方法の一実施例を図面を参照して説明する。
図１〜図８において、１は物品、例えば、自動車等のエアコン吹き出しのルーバー２に取り付けることができる物品取付具で、物品取付具１は、例えば、合成樹脂（例えば、ポリプロピレン）製で、外周に溝部ａを備えた取付基部１０と、この取付基部１０から互いに離間して対向すると共に、前方に延びる第１の辺部１１及び第２の辺部１２と、第１の辺部１１の先端に設けられ、物品２に係止するフック部１３とを有する。
なお、説明の便宜上、図１及び図４に示す物品取付具１の後述する第１の半割り取付基部１０ａと第２の半割り取付基部１０ｂを合わせた状態になっているが、取付基部１０を拘束しない限り、図２及び図３に示すように、第１の半割り取付基部１０ａと第２の半割り取付基部１０ｂとは離間している。
取付基部１０は、接続部１４を介して一体に形成された２つの半割り取付基部で構成され、前記２つの半割り取付基部１０ａ、１０ｂの一方は、第１の半割り取付基部１０ａであり、前記２つの半割り取付基部１０ａ、１０ｂの他方は、第２の半割り取付基部１０ｂとなっている。
なお、接続部１４の肉厚は、第１の辺部１１及び第２の辺部１２の肉厚より薄く、接続部１４は、図１乃至図３に示すように、折曲自在となっている。
そして、第１の半割り取付基部１０ａに第１の辺部１１が接続され、第２の半割り取付基部１０ｂに第２の辺部１２が接続されている。
また、第２の辺部１２の先端は、図１（ａ）に示すように、物品２（例えば、自動車等のエアコン吹き出しのルーバー）を第１の辺部１１と第２の辺部１２との間に受け入れやすいように傾斜している。
【００１７】
また、第１の半割り取付基部１０ａは、図３に示すように、側方に張り出す第１の側方張出部材A、第２の側方張出部材Bを有し、第２の半割り取付基部１０ｂは、側方に張り出す第３の側方張出部材C、第４の側方張出部材Dを有している。
そして、図３に示す矢印方向に接続部１４を介して折り曲げ、図示しない手で第１の半割り取付基部１０ａと第２の半割り取付基部１０ｂを合わせた状態において（図１参照）、第１の半割り取付基部１０ａと第２の半割り取付基部１０ｂは、背中合わせになって取付基部１０を構成すると共に、背中合わせになって第１の側方張出部材Aと第４の側方張出部材Dで構成される部位は、一方の張出部であり、背中合わせになって第２の側方張出部材Bと第３の側方張出部材Cで構成される部位は、他方の張出部であり、この他方の張出部と前記一方の張出部の間に取付基部１０の溝部ａが形成されるようになっている。
【００１８】
また、図７に示す２０は、ボトル３０を載置するホルダー本体で、ホルダー本体２０には、取付基部１０の溝部ａに係止する係止部となる開口縁部Hが設けられている（図４参照）。この開口縁部Hは、図４に示すように、溝部ａに係止する開口幅Xである第１の開口縁部H1と、この第１の開口縁部H1に連通し、開口幅Xより大きく、且つ、取付基部１０の挿脱を許容できる開口幅Ｙを有する第２の開口縁部H2を有している。
なお、図７において、ホルダー本体２０は、ボトル３０を載置しているが、本発明にあっては、ボトル３０に限らず、図示しない灰皿、携帯電話、小物等を載置するようにしても良い。
【００１９】
従って、上述した物品取付具１によれば、取付基部１０は、接続部１４を介して２つの半割り取付基部１０ａ、１０ｂで構成され、２つの半割り取付基部１０ａ、１０ｂの一方は、第１の半割り取付基部１０ａであり、２つの半割り取付基部１０ａ、１０ｂの他方は、第２の半割り取付基部１０ｂであり、第１の半割り取付基部１０ａに第１の辺部１１が接続され、第２の半割り取付基部１０ｂに第２の辺部１２が接続され、第１の辺部１１の先端に物品２に係止するフック部１３が設けられているため、取付基部１０を拘束すること、つまり、図５に示すように、溝部ａに第１の開口縁部H1を係止させることにより  、従来と同様の第１の辺部１１及び第２の辺部１２を得られ、取付基部１０を非拘束すること、つまり、図５に示す物品取付具１を第２の開口縁部H2（図4参照）の部位へ移動させることにより、図８に示すように、接続部１４を介して第１の半割り取付基部１０ａと第２の半割り取付基部１０ｂとを離間させると共に、第１の辺部１１の先端と第２の辺部１２の先端を離間させることができるため、物品取付具１を物品２から容易に取り外すことができる。
容易に取り外すことができる結果、物品２の損傷も少ない。更に、物品取付具１は、図２に示す状態で成形することができるため、金型の製作も従来の金型に比べ、容易となる。
このように、第１の半割り取付基部１０ａと第２の半割り取付基部１０ｂを合わせて取付基部１０を拘束した状態で、フック部１３を物品２に係止させて、物品取付具１を物品２に取り付け（図６及び図７参照）、物品取付具１を物品２から取り外すときには、第１の半割り取付基部１０ａと第２の半割り取付基部１０ｂを合わせた取付基部１０を拘束した状態を解除するため、第１の開口縁部H1に係止した物品取付具１の溝部ａを第２の開口縁部H2（図4参照）の部位へ移動させてフック部１３と物品２との係止状態を解除する、つまり、物品取付具１の溝部ａを第２の開口縁部H2（図4参照）の部位へ移動させと共に、手で物品取付具１をルーバー２の奥に進むように移動させる。すると、第１の半割り取付基部１０ａと第２の半割り取付基部１０ｂとが離間すると共に、第１の辺部１１の先端と第２の辺部１２の先端が広く離間する（図８参照）。
その結果、この物品取付具の取り外し方法にあっては、従来のものに比べ、物品取付具１を物品２から容易に取り外すことができる。
【００２０】
上述した図１〜図８記載の実施例においては、第１の半割り取付基部１０ａと第２の半割り取付基部１０ｂとを接続する接続部１４は、短いものが記載されているが、本願発明にあっては、これに限らず、図９（ａ）（ｂ）（ｃ）（ｄ）に示すように、第１の半割り取付基部１０ａと第２の半割り取付基部１０ｂとを接続する接続部１４の長さを上述した実施例のものより長く形成するようにしても良い。
なお、図９（ａ）（ｂ）（ｃ）（ｄ）には、上述した図１〜図８記載の実施例と同一部分に同一符号を付して、その説明を一部省略する。
また、図９（ｄ）に示す物品取付具１は、第１の半割り取付基部１０ａと第２の半割り取付基部１０ｂを合わせた状態になっているが、上述した図１〜図８記載の実施例と同様に、取付基部１０を拘束しない限り、図９（ａ）（ｂ）（ｃ）に示すように、第１の半割り取付基部１０ａと第２の半割り取付基部１０ｂとは離間している。
ここで、取付基部１０を拘束するとは、例えば、図５に示す第１の開口縁部H1に溝部ａを係止させて、第１の半割り取付基部１０ａと第２の半割り取付基部１０ｂとの合わせた状態を保持することである。
【００２１】
また、上述した図１〜図８記載の実施例においては、第１の半割り取付基部１０ａと第２の半割り取付基部１０ｂとは、接続部１４を介して１８０°に展開できたが、本願発明にあっては、これに限らず、図１０（ａ）（ｂ）（ｃ）に示すように、第１の辺部１１と第２の辺部１２とのなす角度θ（例えば、鋭角）の範囲で回動できるように接続部１４を構成するようにしても良い。
なお、図１０（ａ）（ｂ）（ｃ）には、上述した図１〜図８記載の実施例と同一部分に同一符号を付して、その説明を一部省略する。
【００２２】
また、上述した図１〜図８記載の実施例においては、第１の半割り取付基部１０ａと第２の半割り取付基部１０ｂとを接続する接続部１４は、第１の半割り取付基部１０ａと第２の半割り取付基部１０ｂの長手方向に沿うように設け、接続部１４を介して、１８０°に展開した状態になるようにしたが、本願発明にあっては、これに限らず、図１１（ａ）（ｂ）（ｃ）（ｄ）に示すように、並設する第１の半割り取付基部１０ａと第２の半割り取付基部１０ｂとを接続部１４で接続するようにしても良い。
並設する第１の半割り取付基部１０ａと第２の半割り取付基部１０ｂを合わせた状態にするには、図１１（ｃ）に示すように、第２の辺部１２を第１の辺部１１に対して反時計回りに回動し、次に、図５に示す第１の開口縁部H1に物品取付具１の溝部ａを係止させる。
なお、図１１（ａ）（ｂ）（ｃ）（ｄ）には、上述した図１〜図８記載の実施例と同一部分に同一符号を付して、その説明を一部省略する。
【００２３】
また、上述した図１〜図１１記載の実施例においては、接続部１４を介して２つの半割り取付基部１０ａ、１０ｂを一体に形成したが、本願発明にあっては、これに限らず、２つの半割り取付基部１０ａ、１０を個々に分割するように構成しても良い。
即ち、図１２〜図１４に示すように、２つの半割り取付基部１０ａ、１０ｂの一方は  、第１の半割り取付基部１０ａであり、２つの半割り取付基部１０ａ、１０ｂの他方は  、第２の半割り取付基部１０ｂであり、第１の半割り取付基部１０ａに第１の辺部１１が接続され、第２の半割り取付基部１０ｂに第２の辺部１２が接続されている。
そして、接続部１４’は、第１の半割り取付基部１０ａに設けられた孔Ｅに、第２の半割り取付基部１０ｂに設けられた突起Ｆを遊嵌するように構成されている。
孔Ｅ、Ｅは、第１の半割り取付基部１０ａより張り出す第１の張出部材Ｔ1、第２の張出部材Ｔ2の側壁に設けられ、第１の張出部材Ｔ1と第２の張出部材Ｔ2とは、対向する位置関係にある。
突起Ｆ、Ｆは、第２の半割り取付基部１０ｂより張り出す張出部材Ｓの両側壁にそれぞれ設けられている。
なお、図１２〜図１４には、上述した図１〜図８記載の実施例と同一部分に同一符号を付して、その説明を一部省略する。
【００２４】
また、図１５〜図１７に示す物品取付具１は、図１２〜図１４と同様に、２つの半割り取付基部１０ａ、１０ｂの一方は、第１の半割り取付基部１０ａであり、２つの半割り取付基部１０ａ、１０ｂの他方は、第２の半割り取付基部１０ｂであり、第１の半割り取付基部１０ａに第１の辺部１１が接続され、第２の半割り取付基部１０ｂに第２の辺部１２が接続されている。
そして、接続部１４’は、第１の半割り取付基部１０ａに設けられた孔Ｅに、第２の半割り取付基部１０ｂに設けられた突起Ｆを遊嵌するように構成されている。
孔Ｅ、Ｅは、第１の半割り取付基部１０ａより張り出す第１の張出部材Ｔ1、第２の張出部材Ｔ2の側壁に設けられ、第１の張出部材Ｔ1と第２の張出部材Ｔ2とは、対向する位置関係にある。
突起Ｆ、Ｆは、第２の半割り取付基部１０ｂより張り出す張出部材Ｓの両側壁にそれぞれ設けられている。
なお、図１２〜図１４には、上述した図１〜図８記載の実施例と同一部分に同一符号を付して、その説明を一部省略する。
【００２５】
なお、図１２〜図１７に示す物品取付具１は、孔Ｅを第１の半割り取付基部１０ａに  、突起Ｆを第２の半割り取付基部１０ｂに、それぞれ設けるようにしたが、本願発明にあっては、これに限らず、図示しないが、逆に、孔Ｅを第２の半割り取付基部１０ｂに、突起Ｆを第１の半割り取付基部１０ａに、それぞれ設けるようにしても良い。
【図面の簡単な説明】
【００２６】
【図１】図１（ａ）は、本発明の一実施例の物品取付具の取付基部を図示しない手段で拘束した状態の概略的正面図であり、図１（ｂ）は、図１（ａ）の概略的側面図である。
【図２】図２は、図１の物品取付具の製造時の概略的平面図である。
【図３】図３は、図２の物品取付具の概略的正面図である。
【図４】図４は、図３の物品取付具を矢印方向に曲げ、該物品取付具の取付基部を図示しない手で拘束した状態で、ホルダー本体の開口縁部に取り付ける前の状態の概略的斜視図である。
【図５】図５は、図４の物品取付具をホルダー本体の開口縁部に取り付けた状態の概略的斜視図である。
【図６】図６は、図５の物品取付具をエアコン吹き出しのルーバーに取り付ける前の状態の概略的断面図である。
【図７】図７は、図５の物品取付具をエアコン吹き出しのルーバーに取り付けた状態の概略的断面図である。
【図８】図８は、図７の物品取付具をエアコン吹き出しのルーバーから取り外す状態の概略的断面図である。
【図９】図９（ａ）は、図１の物品取付具と異なる他の実施例の物品取付具の概略的平面図であり、図９（ｂ）は、図９（ａ）の概略的側面図であり、図９（ｃ）は、図９（ｂ）の概略的斜視図であり、図９（ｄ）は、図９（ｃ）の物品取付具の取付基部を図示しない手段で拘束した状態の概略的正面図である。
【図１０】図１０（ａ）は、図９の物品取付具と異なる他の実施例の物品取付具の概略的斜視図であり、図１０（ｂ）は、図１０（ａ）の概略的正面図であり、図１０（ｃ）は、図１０（ｂ）の物品取付具の取付基部を図示しない手段で拘束した状態の概略的正面図である。
【図１１】図１１（ａ）は、図１０の物品取付具と異なる他の実施例の物品取付具の概略的斜視図であり、図１０（ｂ）は、図１０（ａ）の概略的正面図であり、図１０（ｃ）は、図１０（ｂ）の概略的側面図であり、図１０（ｄ）は、図１０（ｂ）の物品取付具の取付基部を図示しない手段で拘束した状態の概略的正面図である。
【図１２】図１２（ａ）は、図１１の物品取付具と異なる他の実施例の物品取付具であって、取付基部を図示しない手段で拘束した状態の概略的斜視図であり、図１２（ｂ）は、図１２（ａ）の概略的正面図であり、図１０（ｃ）は、図１０（ｂ）の物品取付具の取付基部を非拘束した状態の概略的正面図である。
【図１３】図１３（ａ）は、図１２の物品取付具の第１の辺部の概略的平面図であり、図１３（ｂ）は、図１３（ａ）の概略的正面図であり、図１３（ｃ）は、図１３（ｂ）の概略的側面である。
【図１４】図１４（ａ）は、図１２の物品取付具の第２の辺部の概略的平面図であり、図１４（ｂ）は、図１４（ａ）の概略的正面図であり、図１４（ｃ）は、図１４（ｂ）の概略的側面である。
【図１５】図１５（ａ）は、図１２の物品取付具と異なる他の実施例の物品取付具であって、取付基部を図示しない手段で拘束した状態の概略的斜視図であり、図１５（ｂ）は、図１５（ａ）の概略的正面図であり、図１５（ｃ）は、図１５（ｂ）の物品取付具の取付基部を非拘束した状態の概略的正面図である。
【図１６】図１６（ａ）は、図１５の物品取付具の第１の辺部の概略的平面図であり、図１６（ｂ）は、図１６（ａ）の概略的正面図であり、図１６（ｃ）は、図１６（ｂ）の概略的側面である。
【図１７】図１７（ａ）は、図１５の物品取付具の第２の辺部の概略的平面図であり、図１７（ｂ）は、図１７（ａ）の概略的正面図であり、図１７（ｃ）は、図１７（ｂ）の概略的側面である。
【符号の説明】
【００２７】
１      物品取付具
ａ      溝部
１０    取付基部
１０ａ  第１の半割り取付基部
１０ｂ  第２の半割り取付基部
11      第１の辺部
12      第２の辺部
13      フック部
14      接続部
【図１】
2008080836.tif 000003
【図２】
2008080836.tif 000004
【図３】
2008080836.tif 000005
【図４】
2008080836.tif 000006
【図５】
2008080836.tif 000007
【図６】
2008080836.tif 000008
【図７】
2008080836.tif 000009
【図８】
2008080836.tif 000010
【図９】
2008080836.tif 000011
【図１０】
2008080836.tif 000012
【図１１】
2008080836.tif 000013
【図１２】
2008080836.tif 000014
【図１３】
2008080836.tif 000015
【図１４】
2008080836.tif 000016
【図１５】
2008080836.tif 000017
【図１６】
2008080836.tif 000018
【図１７】
2008080836.tif 000019